(57)【要約】【課題】室内機本体と化粧パネルの大型化を抑制した状態で表示部の取付けを可能とし、かつ表示部は完全防滴構造となすとともに、受信感度の向上を図れる空気調和機の室内機を提供する。【解決手段】被空調室の天井裏に取付け固定した室内機本体１内部に熱交換器や送風機等を収容し、室内機本体の下面部に取付け室内に露出する化粧パネル２に吸込み口１０および吹出し口１２を備え、この化粧パネルに遠隔操作盤からの操作信号を受信して必要な表示をなす表示部Ｈを取付け、上記化粧パネルの左右側部を室内機本体の左右側面寄り外側に延出し、上記表示部は化粧パネルの室内機本体側面部１ａからの延出部位に取付ける。【選択図】    図１
2004176975.tif 000002
【特許請求の範囲】
【請求項１】
内部に熱交換器や送風機等を収容し、被空調室の天井裏に取付け固定される室内機本体と、
吸込み口および吹出し口を備え、上記室内機本体の下面部に取付けられて室内に露出する化粧パネルと、
この化粧パネルに取付けられ、遠隔操作盤からの操作信号を受信して必要な表示をなす表示部とを具備した空気調和機の室内機において、
上記化粧パネルの左右側部は、上記室内機本体の左右側面より外側に延出して設けられ、
上記表示部は、上記化粧パネルの室内機本体側面部から延出した部位に取付けられることを特徴とする空気調和機の室内機。
【請求項２】
上記室内機本体内に収容した熱交換器に接続される冷媒接続管が、室内機本体の左右側面のいずれか一方に突出して設けられ、
上記表示部は、上記冷媒接続管の設けられた側の化粧パネルに配置され、
上面に開口部を備え、内部に表示基板、受光部および表示灯を収容する容器本体と、
この容器本体の上面開口部を閉塞するとともに、容器本体の上面開口部周縁から外方へ突出する庇部を備えた上カバーとを具備し、上方部から滴下する滴を受けても内部への浸入を阻止する防滴構造をなすことを特徴とする請求項２記載の空気調和機の室内機。
【請求項３】
上記室内機本体と化粧パネルは、左右いずれの側部にも上記表示部を取付け可能としたことを特徴とする請求項１記載の空気調和機の室内機。
【発明の詳細な説明】
【０００１】
【発明の属する技術分野】
本発明は、天井埋込み型の空気調和機の室内機に係り、特に、遠隔操作盤からの操作信号を受信して必要な表示をなす表示部の取付け構造に関する。
【０００２】
【従来の技術】
空気調和機の室内機として、店舗などの広い空間を空調する場合には、壁面に取付けられる、いわゆる壁掛け形よりも、天井面から極めて広い範囲に亘って均一に熱交換空気を吹出すことができ、かつ居住者が受ける圧迫感の少ない天井埋込み型とした室内機が多用される傾向にある。
【０００３】
上記室内機は、内部に熱交換器と送風機等を収容し、被空調室の天井裏に取付け固定される室内機本体と、この室内機本体の下面部に取付けられ、吸込み口および吹出し口を備えて室内に露出する化粧パネルとから構成される。
【０００４】
上記化粧パネルには表示部が取付けられていて、この表示部は遠隔操作盤（いわゆる、リモコン）からの操作信号を受信する受信部と、ここで受信した信号を室内機本体に備えた制御部へ送信する回路が形成される表示基板および、必要な表示をなす表示灯（ＬＥＤ）を備えている。
【０００５】
【発明が解決しようとする課題】
ところで、上述した表示部は上記制御部の近傍位置に配置した方が、互いを電気的に接続する配線の全長が短くてすむことは言うまでもない。上記制御部は、たとえば［特許公報１］に開示されるように、室内機本体内に収容されていて、この近傍に表示部が配置されることになる。
【０００６】
【特許公報１】
特願平９−３０３８１６号公報（請求項１、図１参照）
上記表示部は、化粧パネルの吸込み口や吹出し口と隣接した位置に取付けられる。すなわち、表示部取付け用のスペースを確保するため、吸込み口あるいは吹出し口の一部を犠牲にする必要があり、もしくは室内機本体と化粧パネルを大型化する必要がある。
【０００７】
一方、表示部を吹出し口もしくは吸込み口に直接、取付ける構成が考えられる。表示部を吹出し口に取付けると、吹出し風が表示部に当たり風切り音が発生してしまうので実用化は困難であるが、吸込み口に嵌め込まれる吸込みグリルに表示部を取付けることは可能である。
【０００８】
この場合、美観上の観点から表示部を吸込みグリルの裏面側に取付けるが、遠隔操作盤から発せられる操作信号は吸込みグリルを通過して表示部に到達しなければならず、一部の信号は吸込みグリルによって遮断されて受信感度が低下してしまう。
【０００９】
本発明は上記事情に着目してなされたものであり、その目的とするところは、室内機本体と化粧パネルの大型化を抑制した状態で表示部の取付けを可能とし、かつ表示部は完全防滴構造となすとともに、遠隔操作盤に対する受信感度の向上を図れる空気調和機の室内機を提供しようとするものである。
【００１０】
【課題を解決するための手段】
上記課題を解決し目的を達成するために本発明の空気調和機の室内機は、被空調室の天井裏に取付け固定した室内機本体内部に熱交換器や送風機等を収容し、室内機本体の下面部に取付け室内に露出する化粧パネルに吸込み口および吹出し口を備え、この化粧パネルに遠隔操作盤からの操作信号を受信して必要な表示をなす表示部を取付け、化粧パネルの左右側部は室内機本体の左右側面寄り外側に延出して設け、表示部は化粧パネルの室内機本体側面部から延出下部位に取付けることを特徴とする。
【００１１】
このような課題を解決する手段を採用することにより、室内機本体と化粧パネルの大型化を抑制した状態で表示部の取付けを可能とし、表示部は完全防滴構造となすとともに、遠隔操作盤に対する受信感度の向上を図れる。
【００１２】
【発明の実施の形態】
以下、本発明の実施の形態を図面にもとづいて説明する。
図１は本発明の一実施の形態に係る天井埋込み型の空気調和機の室内機を下面側から示す斜視図、図２は室内機を上面側から示す斜視図、図３は室内機本体のみを下面側から示す斜視図である。（なお、説明中に符号の付していない構成部品については図面上に図示していない）
空気調和機の室内機は、室内側から天井板に設けられる取付け用開口部に挿入され、吊りボルト等を介して、いわゆる天井裏に吊持固定される室内機本体１と、この室内機本体１の下面部に取付けられ室内に露出する化粧パネル２とから構成される。
【００１３】
室内機本体１は、長手方向が、長手方向と直交する方向である幅方向に対して極端に長い矩形箱状に成型され、下面開口部全てが開口する筐体（以下、ハウジングと呼ぶ）３を備えている。
【００１４】
このハウジング３は金属薄板を板金加工してなり、この内面には、たとえば発泡スチロール材などの合成樹脂材からなる断熱材が組み込まれ、室内機本体１として断熱構造をなしている。
室内機本体１内部の幅方向の一側部に送風機が配置され、この送風機と対向して室内熱交換器が収容される。図３のみに示すように、上記室内熱交換器と対向してドレンパン４が配置される。
【００１５】
上記室内熱交換器は斜めに傾斜して配置され、上記ドレンパン４は室内熱交換器の下端部に配置されるメーンドレンパン４ａと、室内熱交換器の熱交換空気導入側で、かつ室内熱交換器と同様斜めに傾斜した状態で配置されるサブドレンパン４ｂとからなる。
【００１６】
上記サブドレンパン４ｂは、室内機本体１内に吸込まれて上記室内熱交換器に導かれる室内空気の流通を阻害せず、しかも室内熱交換器から滴下するドレン水を支障なく受けて上記メーンドレンパン４ａへ案内する。メーンドレンパン４ａには屋外へ延出されるドレンホースが接続されている。
【００１７】
室内機本体１の下面開口部は、幅方向の略中央部に、長手方向に亘って設けられるメーンドレンパン４ａによって仕切られ、左右両側に開口部５ａ，５ｂが形成される。
【００１８】
化粧パネル２を取外した状態で、一方側の開口部５ａから上記サブドレンパン４ｂが臨ませられていて、ここを吸込み部５ａとなす。他方側の仕切り開口部は吹出し部５ｂとなる。
【００１９】
上記吸込み部５ａの一側端には制御器が取付けられる。この制御器の内部には、後述する表示部から送信される操作信号を受けて、送風機や室外機内の圧縮機、各種弁類等を制御する電子機器類や配線基板などが収容される。
【００２０】
室内機本体１の長手方向に沿う両側面部１ａには、それぞれ一対ずつの吊り金具７が突設され、天井裏から吊持される吊りボルトに取付けられるようになっている。また、室内機本体１の一方側（図の右側）の側面部１ａで、上記吊り金具７の近傍部位に２本の冷媒接続管８の接続部が突出している。
【００２１】
上記冷媒接続管８は上記室内熱交換器に連通していて、室内機本体１の側面部１ａから突出する冷媒接続管８の接続部には、屋外に配置する室外機から延出される冷媒渡り管が接続するようになっている。
【００２２】
室内機本体１の下面開口部１ｂは、化粧パネル２によって閉成されている。この化粧パネル２は室内に露出し、ハウジング３周面と天井板に設けられる取付け用開口部との隙間を遮蔽する。
【００２３】
上記化粧パネル２は室内機本体１の周面から延出して設けられている。なお、化粧パネル２の室内機本体１の幅方向側面部１ｃからの延出量はごく僅かであるが、室内機本体１の長手方向側面部１ａからの延出量は幅方向と比較して大となっている。
【００２４】
上記室内機本体下面開口部１ｂの吸込み部５ａと対向する化粧パネル２部位には、吸込み口１０が開口される。したがって、この吸込み口１０は幅方向と比較して長手方向が極端に長い矩形状をなす。
【００２５】
上記吸込み口１０には吸込グリル１１が着脱自在に取付けられていて、吸込み口１０における室内空気の流通を可能としながら、吸込み口１０からハウジング３内部に対する遮蔽をなしている。
【００２６】
上記室内機本体１の吹出し部５ｂと対向する化粧パネル２部位には吹出し口１２が開口される。この吹出し口１２も、幅方向と比較して長手方向が極端に長い矩形状をなす。吹出し口１２にはルーバー駆動機構に連結されたルーバー１３が取付けられ、室内の広い範囲に均一に熱交換した空気を吹出し案内できる。
【００２７】
また、化粧パネル２の室内機本体長手方向側面部１ａから延出する部位で、特に冷媒管８接続部側には表示部Ｈが取付けられる。具体的には、化粧パネル２に設けられる取付用孔２ａに上記表示部Ｈが嵌め込まれ、この表示部Ｈの下面部は化粧パネル２面から露出する。
【００２８】
つぎに、上記表示部Ｈについて詳述する。
図４は表示部Ｈの外観斜視図、図５は表示部Ｈの概略の断面図、図６は表示部Ｈを下部側から見た斜視図である。
【００２９】
上記表示部Ｈは、上面が開口する開口部１５を備えた容器本体１６と、この容器本体１６の上面開口部１５を閉成する上カバー１７とから構成される。
上記容器本体１６の上面開口部１５には、所定の回路パターンが形成され電子部品が実装された表示基板１８が取付けられる。この表示基板１８と先に説明した制御器６が配線を介して電気的に接続される。
【００３０】
上記容器本体１６の下面部で長手方向に沿う一側部は、下面が開口する凹部１６ａが一体に形成され、この凹部１６ａに受光素子１９が取付けられている。凹部１６ａの開口は操作信号光線を透過させ、かつ内部を遮蔽する遮蔽カバーによって閉塞されていて、これらで受信部２０を構成する。
【００３１】
さらに、容器本体１６の下面部は下方に段状になって突出形成され、実質的に、この突出部１６ｂが上記化粧パネル２に設けられる取付用孔２ａに嵌め込まれて室内に露出する。
【００３２】
上記突出部１６ｂの突出面には複数の孔部２１が設けられていて、それぞれの孔部２１に対向してたとえばＬＥＤ等からなり、各操作に対応して表示する複数の表示灯２３が取付けられる。
【００３３】
上記上カバー１７は、幅方向の断面が変形した山形状に形成され、この下面には垂直方向に突出する壁部２４が一体に設けられる。この壁部２４は、上カバー１７で容器本体１６の上面開口部１５を閉成した状態で、容器本体１６周端部上に載り表示部Ｈ内を略密閉する。
【００３４】
上カバー１７の周端部は、上記壁部２４からさらに外方へ突出し、壁部２４と所定間隔を存した位置で下方に一体に折曲形成される。この折曲片部の下端縁は上記壁部２４下端縁と略同一位置にあり、壁部２４から外方へ突出する部位を庇部２５と呼ぶ。
【００３５】
この庇部２５の外周面は、容器本体１６の長手方向に沿う側面部に設けられる逆Ｌ字状の止め金具２６に掛止される。したがって、上カバー１７は容器本体１６に対して着脱自在に取付けられることになる。
【００３６】
このように構成された天井埋込型の空気調和機の室内機において、送風機が駆動されると室内空気が吸込みグリル１１と吸込み口１０を介して室内機本体１内に吸引される。熱交換空気は、熱交換器に導かれ熱交換がなされた後、吹出口１２から室内へ吹出される。
【００３７】
上記熱交換器の熱交換作用にともなってドレン水が生成され、そのまま流下する。ドレン水はメインドレンパン４ａとサブドレンパン４ｂによって受けられ、メインドレンパン４ａに集溜されて円滑に排水される。
【００３８】
特に、天井裏が高温多湿となる時期では、金属部分が結露し易い。室内機本体１を構成するハウジング３は金属板からなるが、内面に断熱材が貼着され断熱構造となっているので露の付着がない。
【００３９】
冷媒接続管８も金属管であるが、周面に断熱材が巻装されているので露の付着がない。ただし、室内機本体１から突出する部分は経年変化にともなって断熱材が破損し、冷媒管８の一部が露出することがある。あるいは、据付け施工時に断熱材を破損してしまい、ついには冷媒接続管８が露出することがある。
【００４０】
室内機本体１の側面部１ａに突設される吊り金具７および吊りボルトなどは金属材からなり、断熱構造にはなっていない。したがって、高温多湿時にはこれらの表面で結露し、結露水が滴下することがある。
【００４１】
上記表示部Ｈの上方部位に位置する冷媒管８や吊り金具７等から滴下する結露水は表示部Ｈを濡らす。具体的には、表示部Ｈを構成する上カバー１７が滴下する水滴を受けて濡れる。
【００４２】
これらの水滴は上カバー１７の傾斜に沿って流下し、庇部２５に至る。さらに、その水滴は庇部２５周縁の下方に折曲される片部に沿って流れ、この下端縁から滴下する。
【００４３】
結局、表示部Ｈが受けた水滴は庇部２５に沿って滴下し、容器本体１６の上面開口部１５から容器本体１６内部に浸入するようなことはない。したがって、容器本体１６内に収容される表示基板１８や表示灯２３等が濡れることがなく、信頼性および安全性が確保される。
【００４４】
このように、表示部Ｈを防滴構造としたので、表示部Ｈを化粧パネル２の室内機本体１と対向する部位から外側部位に取付けることができる。室内機本体１における吸込み部５ａ領域を狭くすることなく表示部Ｈを構成でき、室内機本体１の小型化と天井開口面積の小型化に繋げられる。
【００４５】
表示部Ｈを防滴構造としたので、表示部Ｈを冷媒管８接続側に取付けることができ、これにより配管接続側に設置される制御器６と表示部Ｈの間を電気的に接続する配線の長さを抑制し、コストの低減に繋げられる。
【００４６】
表示部Ｈを構成する上カバー１７に滴下した結露水は、上カバー１７の断面形状が略山形状になっているところから、常に、ここに溜まることなく円滑に流下する。
【００４７】
上カバー１７が結露水によって冷却されることを防止するので、容器本体１６内に収容される表示基板１８や表示灯２３等へ結露水が滴下することはなく、信頼性および安全性の向上を図れる。
【００４８】
なお、化粧パネル２は、その左右両側部が室内機本体１の左右両側面部１ａから延出しているので、表示部Ｈの取付けは先に説明した図の右側の側面部１ａからの延出部位ばかりでなく、左側の側面部からの延出部位であってもよい。
【００４９】
また、化粧パネル２は、表示部Ｈを取付ける部位のみが室内機本体１の側面部から延出するよう形成してもよい。
さらに、本発明は上述の実施の形態に限定されるものではなく、本発明の要旨を逸脱しない範囲で種々変形実施可能であるのは勿論である。
【００５０】
【発明の効果】
以上説明したように本発明によれば、比較的簡素な構成でありながら、室内機本体と化粧パネルの大型化を抑制した状態で表示部の取付けを可能とし、かつ表示部は完全防滴構造となすとともに、遠隔操作盤に対する受信感度の向上を図れるなどの効果を奏する。
【図面の簡単な説明】
【図１】本発明の一実施の形態に係る天井埋込み型の空気調和機の室内機を下面側から示す斜視図。
【図２】同実施の形態に係る、室内機を上面側から見た斜視図。
【図３】同実施の形態に係る、室内機本体のみの斜視図。
【図４】同実施の形態に係る、表示部の斜視図。
【図５】同実施の形態に係る、表示部の概略の断面図。
【図６】同実施の形態に係る、表示部の下面側から見た斜視図。
【符号の説明】
１…室内機本体、
２…化粧パネル、
Ｈ…表示部、
１８…表示基板、
２３…表示灯、
２０…受光部、
１６…容器本体、
２５…庇部、
１７…上カバー。
【図１】
2004176975.tif 000003
【図２】
2004176975.tif 000004
【図３】
2004176975.tif 000005
【図４】
2004176975.tif 000006
【図５】
2004176975.tif 000007
【図６】
2004176975.tif 000008